(57)【要約】【課題】  操作が非常に簡単な防護柵の折畳み展開装置を提供すること。【解決手段】  本考案は、複数の、第１フレーム（１０）と第２フレーム（２０）とが組み合わされて成り、上部調整ブロック（１２）と、上部カバー（３２）と、上部ブロック（２２）と、回転座（４０）と、スプリング（４０）と、ピン（６０）と、蓋部材（５２）と、支持管（５０）と、下部ブロック（２１）と、下部カバー（３１）と、下部調整ブロック（１１）と、ブッシュ（３０）とにより構成されることを特徴とする。【選択図】  図２
0003122547.tif 000002
【実用新案登録請求の範囲】
【請求項１】
複数の第１フレーム（１０）と複数の第２フレーム（２０）とが組み合わされた防護柵の折り畳み装置であって、
前記第１フレーム（１０）の上側に上部調整ブロック（１２）が配され、前記第１フレーム（１０）の下側に下部調整ブロック（１１）が配され、
前記上部調整ブロック（１２）の下面には、凹部（１２１）が形成され、
前記下部調整ブロック（１１）の上面には、凹部（１１１）が形成され、
前記第１フレーム（１０）は更に上部カバー（３２）、下部カバー（３１）を備え、
前記上部カバー（３２）は開口部が下方を向くように前記凹部（１２１）の下側に設置され、
前記下部カバー（３１）は開口部が上方を向くように前記凹部（１１１）の上側に設置され、
前記第１フレーム（１０）は更に滑り止め部（３４）（３３）を備え、
前記滑り止め部（３４）は前記凹部（１２１）と嵌合し、前記上部カバー（３２）の上側に設けられ、
前記滑り止め部（３３）は前記凹部（１１１）と嵌合し、前記下部カバー（３１）の下側に設けられ、
前記第２フレーム（２０）はその一側端において、前記上部カバー（３２）の下側に上部ブロック（２２）が配され、前記下部カバー（３１）の上側に下部ブロック（２１）を備え、
該上部ブロック（２２）の下方に、両端に最高部（２２２）及び最低部（２２３）を有する複数の傾斜部（２２１）が形成され、
前記下部ブロック（２１）は内部に位置決め穴（２２１）を形成し、
前記上部ブロック（２２）の下方に回転座（４０）が設置され、
該回転座（４０）の上側には、回転ヘッド（４１）が設けられ、該回転ベッド（４１）は内部に複数の傾斜面（４２）を備え、該傾斜面（４２）の両端にそれぞれ前記最高部（２２２）及び最低部（２２３）と対応する最高部（４２１）及び最低部（４２２）が設けられると共に
前記回転座（４０）の下側は中空状を呈し、その内部にスプリング（４４）が設置され、
更に、前記回転座（４０）の内部に支持管（５０）の上端が嵌め込まれると共に、下端が前記下部ブロック（２１）の位置決め穴（２１１）に嵌め込まれ、
該支持管（５０）の周面に長穴（５１）が形成され、上端に前記スプリング（４４）の下端が嵌め込まれる蓋部材（５２）が設けられ、
該回転座（４０）と長穴（５１）にピン（６０）が挿設されることを特徴とする防護柵の折畳み展開装置。
【請求項２】
前記上部カバー（３２）及び下部カバー（３１）の内部にそれぞれ所定の間隔で複数のリブ（３６,３５）が設けられ、
前記上部ブロック（２２）の上側及び下部ブロック（２１）の下側に所定の間隔でリブ（３６,３５）と対応する複数の係合溝（２３）が形成されることを特徴とする請求項１に記載の防護柵の折畳み展開装置。
【請求項３】
前記上部調整ブロック（１２A）の下側内部に所定の間隔で複数の凸状部（１２B）が設けられ、上部ブロック（２２）と上部カバー（３２）とが一体に成形されると共に、
上部ブロック（２２）上に所定の間隔で凸状部（１２B）と対応する複数の結合溝（２２B）が形成されることを特徴とする請求項１に記載の防護柵の折畳み展開装置。
【考案の詳細な説明】
【技術分野】
【０００１】
本考案は、特に操作が非常に簡単な防護柵の折畳み展開装置に関するものである。
【背景技術】
【０００２】
一般に防護柵、特にベビーガードなどは、暖炉やストーブなどの周囲に配置され、幼児や子供の暖炉やストーブなどへの接触を防止するために用いられるものである。
【０００３】
また、従来の防護柵を調整する時は、例えば米国特許第６５９５４９８号に記載されるように、下部柱を上方へ持ち上げてスプリングを圧縮させると同時に、第１及び第２フレームの係合部材を共に離脱させてから回転させることにより、角度の調整を行い、展開・折畳みの目的を達成する。
【０００４】
【特許文献１】米国特許明細書第６５９５４９８号
【考案の開示】
【考案が解決しようとする課題】
【０００５】
しかしながら、前記従来の構造では、以下に示すような欠点がある。
２つの係合部材により角度の調整を行う時、係合部材同士が不正常な状態でぶつかり合うので、破損しやすい。
２つの係合部材は、噛合により位置合わせされることから、調整時には必ず２つの係合が完全に離脱した後に回転調整を行わなければならないので、調整作業が非常に不便である。
【課題を解決するための手段】
【０００６】
本考案の請求項１は、複数の第１フレーム（１０）と複数の第２フレーム（２０）とが組み合わされた防護柵の折り畳み装置であって、前記第１フレーム（１０）の上側に上部調整ブロック（１２）が配され、前記第１フレーム（１０）の下側に下部調整ブロック（１１）が配され、前記上部調整ブロック（１２）の下面には、凹部（１２１）が形成され、前記下部調整ブロック（１１）の上面には、凹部（１１１）が形成され、前記第１フレーム（１０）は更に上部カバー（３２）、下部カバー（３１）を備え、前記上部カバー（３２）は開口部が下方を向くように前記凹部（１２１）の下側に設置され、前記下部カバー（３１）は開口部が上方を向くように前記凹部（１１１）の上側に設置され、前記第１フレーム（１０）は更に滑り止め部（３４）（３３）を備え、前記滑り止め部（３４）は前記凹部（１２１）と嵌合し、前記上部カバー（３２）の上側に設けられ、前記滑り止め部（３３）は前記凹部（１１１）と嵌合し、前記下部カバー（３１）の下側に設けられ、
前記第２フレーム（２０）はその一側端において、前記上部カバー（３２）の下側に上部ブロック（２２）が配され、前記下部カバー（３１）の上側に下部ブロック（２１）を備え、該上部ブロック（２２）の下方に、両端に最高部（２２２）及び最低部（２２３）を有する複数の傾斜部（２２１）が形成され、前記下部ブロック（２１）は内部に位置決め穴（２２１）を形成し、前記上部ブロック（２２）の下方に回転座（４０）が設置され、該回転座（４０）の上側には、回転ヘッド（４１）が設けられ、該回転ベッド（４１）は内部に複数の傾斜面（４２）を備え、該傾斜面（４２）の両端にそれぞれ前記最高部（２２２）及び最低部（２２３）と対応する最高部（４２１）及び最低部（４２２）が設けられると共に、前記回転座（４０）の下側は中空状を呈し、その内部にスプリング（４４）が設置され、更に、前記回転座（４０）の内部に支持管（５０）の上端が嵌め込まれると共に、下端が前記下部ブロック（２１）の位置決め穴（２１１）に嵌め込まれ、該支持管（５０）の周面に長穴（５１）が形成され、上端に前記スプリング（４４）の下端が嵌め込まれる蓋部材（５２）が設けられ、「該回転座（４０）と長穴（５１）にピン（６０）が挿設されることを特徴とする防護柵の折畳み展開装置を提供するものである。
本考案の請求項２は、前記上部カバー（３２）及び下部カバー（３１）の内部にそれぞれ所定の間隔で複数のリブ（３６,３５）が設けられ、前記上部ブロック（２２）の上側及び下部ブロック（２１）の下側に所定の間隔でリブ（３６,３５）と対応する複数の係合溝（２３）が形成されることを特徴とする請求項１に記載の防護柵の折畳み展開装置を提供するものである。
本考案の請求項３は、前記上部調整ブロック（１２A）の下側内部に所定の間隔で複数の凸状部（１２B）が設けられ、上部ブロック（２２）と上部カバー（３２）とが一体に成形されると共に、上部ブロック（２２）上に所定の間隔で凸状部（１２B）と対応する複数の結合溝（２２B）が形成されることを特徴とする請求項１に記載の防護柵の折畳み展開装置を提供するものである。
【考案の効果】
【０００７】
本考案は上記の課題を解決するものであり、複数の第１フレームと複数の第２フレームとが組み合わされた防護柵の折り畳み装置であって、前記第１フレームの上側に上部調整ブロックが配され、前記第１フレームの下側に下部調整ブロックが配され、前記上部調整ブロックの下面には、凹部が形成され、前記下部調整ブロックの上面には、凹部が形成され、前記第１フレームは更に上部カバー、下部カバーを備え、前記上部カバーは開口部が下方を向くように前記凹部の下側に設置され、前記下部カバーは開口部が上方を向くように前記凹部の上側に設置され、前記第１フレームは更に滑り止め部を備え、前記滑り止め部は前記凹部と嵌合し、前記上部カバーの上側に設けられ、前記滑り止め部は前記凹部と嵌合し、前記下部カバーの下側に設けられ、
前記第２フレームはその一側端において、前記上部カバーの下側に上部ブロックが配され、前記下部カバーの上側に下部ブロックを備え、該上部ブロックの下方に、両端に最高部及び最低部を有する複数の傾斜部が形成され、前記下部ブロックは内部に位置決め穴を形成し、
前記上部ブロックの下方に回転座が設置され、該回転座の上側には、回転ヘッドが設けられ、該回転ベッドは内部に複数の傾斜面を備え、該傾斜面の両端にそれぞれ前記最高部及び最低部と対応する最高部及び最低部が設けられ、該回転座の下側がスプリングを設置するための中空状を呈するとともに、該回転座上に貫通孔が形成され、
更に、前記回転座の内部に支持管の上端が嵌め込まれると共に、下端が前記下部ブロックの位置決め穴に嵌め込まれ、該支持管の周面に長穴が形成され、上端に前記スプリングの下端が嵌め込まれる蓋部材が設けられ、該回転座と長穴にピンが挿設される構成を有するので、以下示すような効果を示している。
【０００８】
角度を調整する時は、単に回転座を回転させて回転ヘッドと上部ブロックとが対応し合う傾斜面の最高部と最低部とを接触させ、スプリングを伸長させるだけで、折畳み展開装置が緩むので、誰でも簡単に折畳み或いは展開作業を行うことができる。
２. 角度を調整する時は、単に回転座を回転させれば、第１、第２フレーム間の角度を調整できるので、従来のような位置合わせを行う必要はない。
【考案を実施するための最良の形態】
【０００９】
以下、添付図面を参照して本考案の好適な実施の形態を詳細に説明する。
【００１０】
図１は本考案に係る第１実施例の防護柵の折畳み展開装置における使用状態を示す斜視図であり、図２は本考案に係る第１実施例の防護柵の折畳み展開装置の分解斜視図であり、図３は本考案に係る第１実施例の防護柵の折畳み展開装置の部分分解斜視図であり、図４は本考案に係る第１実施例の防護柵の折畳み展開装置の断面図であり、図５は本考案に係る第１実施例の防護柵の折畳み展開装置の作動状態を示す断面図であり、図６は本考案に係る防護柵の折畳み展開装置の折畳んだ状態を示す斜視図であり、図７は本考案に係る第２実施例の防護柵の折畳み展開装置における上部調整ブロックを示す斜視図であり、図８は本考案に係る第２実施例の防護柵の折畳み展開装置における上部調整ブロックを示す他の斜視図であり、図９は本考案に係る第２実施例の防護柵の折畳み展開装置における上部ブロックを示す斜視図であり、図１０は本考案に係る折畳み展開装置により防護柵を六角形に形成させた場合の斜視図である。
【００１１】
図１乃至図４の第１実施例に示すように、本考案の防護柵の折畳み展開装置は、複数の、第１フレーム（１０）と第２フレーム（２０）とが組み合わされて成る。前記第１フレーム（１０）は、上下に上部調整ブロック（１２）と下部調整ブロック（１１）が設けられ、前記上部調整ブロック（１２）は下方に開口した凹部（１２１）を備え、前記下部調整ブロック（１１）は上方に開口した凹部（１１１）を備える。該下部調整ブロック（１１）の下端に円形のブッシュ（３０）が設置される。即ち前記凹部（１２１）の下側に上部カバー（３２）の開口部が下側に向き、凹部（１１１）の上側に下部カバー（３１）の開口部が上方に向く状態で設置される。該上部カバー（３２）の上側及び下部カバー（３１）の下側にそれぞれ凹部（１２１）及び凹部（１１１）と対応する滑り止め部（３４,３３）が設けられ、上部カバー（３２）及び下部カバー（３１）の内部にそれぞれ所定の間隔で複数のリブ（３６,３５）が設けられる。
【００１２】
前記第２フレーム（２０）の一端側において、上部カバー（３２）の下側及び下部カバー（３１）の上側と対応する位置にそれぞれ上部ブロック（２２）及び下部ブロック（２１）が設置され、該上部ブロック（２２）上に指示マーク（２２４）が設けられる。該上部ブロック（２２）の上側及び下部ブロック（２１）の下側に所定の間隔でリブ（３６,３５）と対応する複数の係合溝（２３）が形成される。また、該上部ブロック（２２）の下側において、両端に最高部（２２２）及び最低部（２２３）を有する複数の傾斜部（２２１）が形成される。該下部ブロック（２１）の内部に位置決め穴（２１１）が形成され、該下部ブロック（２１）の表面にガイド部（２１２）が形成され、該ガイド部（２１２）は、下部ブロック（２１）の外側から位置決め穴（２１１）まで及ぶ。
【００１３】
前記上部ブロック（２２）の下側に回転座（４０）が設置され、該回転座（４０）の上側に、内部に複数の傾斜面（４２）を有し、外周面に指示マーク（４０１）を有する回転ヘッド（４１）が設けられる。該傾斜面（４２）の両端にそれぞれ前記最高部（２２２）及び最低部（２２３）と対応する最高部（４２１）及び最低部（４２２）が設けられる。該回転座（４０）の下側は中空状を呈し、その内部にスプリング（４４）が設置され、該回転座（４０）の外周面に横方向に貫通孔（４３）が形成される。
【００１４】
前記回転座（４０）の内部に中空状の支持管（５０）の上端が嵌め込まれると共に、下端が前記下部ブロック（２１）の位置決め穴（２１１）に嵌め込まれる。該支持管（５０）の周面に長穴（５１）が形成され、上端に前記スプリング（４４）の下端が嵌め込まれる蓋部材（５２）が設けられる。
【００１５】
前記回転座（４０）の貫通孔（４３）と長穴（５１）にピン（６０）が挿設される。
【００１６】
図１及び図４に示すように、本考案の回転ヘッド（４１）における傾斜面（４２）の最高部（４２１）が上部ブロック（２２）における傾斜面（２２１）の最低部（２２３）に位置する時、両者は当接し合うが、これは調整後の状態であり、この時、スプリング（４４）が付勢すると共に、滑り止め部（３４,３３）がそれぞれ上部調整ブロック（１２）及び下部調整ブロック（１１）に対して押圧されることにより、位置決め効果を達成する。
【００１７】
図５に示すように、防護柵を折畳む時は、前記回転座（４０）を回転させて傾斜面（４２,２２１）の最高部（４２１,２２２）と最低部（４２２,２２３）とを当接させ、スプリング（４４）を伸長させる。この時、緩んだ状態となっているため、図６に示すように、簡単に第１フレーム（１０）と第２フレーム（２０）とを折畳むことができる。この方法によれば、誰でも簡単に角度の調整を行って、防護柵を折畳んで収納したり、持ち運んだりすることができると共に、角度調整時には、位置合わせ作業を必要としないので、使用上非常に便利である。
【００１８】
また、図７乃至図９に示す第２実施例では、本考案の上部調整ブロック（１２A）の下側に所定の間隔で複数の凸状部（１２B）が設けられると共に、上部ブロック（２２A）は、前記上部カバーと一体成形される。該上部ブロック（２２A）上に所定の間隔で凸状部（１２B）と対応する複数の結合溝（２２B）が形成されることにより、角度調整の目的を達成している。
【００１９】
図１０は、本考案の防護柵を六角形に角度調整した場合の使用状態を示すものであり、このようにすれば、幼児や子供達の安全な遊び場としても活用することができる。
【００２０】
尚、上述した実施形態は単に本考案の一部の形態であり、本明細書に示す請求の範囲内であれば如何なる形態に構成させてもよい。また、容易に想到し得る範囲内であれば、当然本考案の請求の範囲に属するものである。
【図面の簡単な説明】
【００２１】
【図１】本考案に係る第１実施例の防護柵の折畳み展開装置における使用状態を示す斜視図である。
【図２】本考案に係る第１実施例の防護柵の折畳み展開装置の分解斜視図である。
【図３】本考案に係る第１実施例の防護柵の折畳み展開装置の部分分解斜視図である。
【図４】本考案に係る第１実施例の防護柵の折畳み展開装置の断面図である。
【図５】本考案に係る第１実施例の防護柵の折畳み展開装置の作動状態を示す断面図である。
【図６】本考案に係る防護柵の折畳み展開装置の折畳んだ状態を示す斜視図である。
【図７】本考案に係る第２実施例の防護柵の折畳み展開装置における上部調整ブロックを示す斜視図である。
【図８】本考案に係る第２実施例の防護柵の折畳み展開装置における上部調整ブロックを示す他の斜視図である。
【図９】本考案に係る第２実施例の防護柵の折畳み展開装置における上部ブロックを示す斜視図である。
【図１０】本考案に係る折畳み展開装置により防護柵を六角形に形成させた場合の斜視図である。
【符号の説明】
【００２２】
１０              第１フレーム
１１              下部調整ブロック
１１１            凹部
１２，１２Ａ      上部調整ブロック
１２Ｂ            凸状部
１２１            凹部
１２２            角度指示マーク
２０              第２フレーム
２１              下部ブロック
２１１            位置決め穴
２１２            ガイド部
２２，２２Ａ      上部ブロック
２２Ｂ            結合溝
２２１            傾斜面
２２２            最高部
２２３            最低部
２２４            指示マーク
２３              係合溝
３０              ブッシュ
３１              下部カバー
３２              上部カバー
３３，３４        滑り止め部
３５，３６        リブ
４０              回転座
４１              回転ヘッド
４０１            指示マーク
４２              傾斜部
４２１            最高部
４２２            最低部
４３              貫通孔
【図１】
0003122547.tif 000003
【図２】
0003122547.tif 000004
【図３】
0003122547.tif 000005
【図４】
0003122547.tif 000006
【図５】
0003122547.tif 000007
【図６】
0003122547.tif 000008
【図７】
0003122547.tif 000009
【図８】
0003122547.tif 000010
【図９】
0003122547.tif 000011
【図１０】
0003122547.tif 000012